(57)【要約】      （修正有）【課題】目薬の点眼時に目と目薬容器との間に適度な間隔を保持できるようにし、目薬液を滴下する直前に強制的に瞼を開くようにするとともに、目薬液の滴下を終えると自動的に滴下ノズルをキャップで閉成するようにした目薬点眼補助具を提供する。【解決手段】目薬容器１と、環状に形成した周側枠５の外周前後方向に片持ち軸６を突設するとともに、目薬容器を倒立姿勢で支持しその下向きの滴下ノズルが周側枠の内側を貫通するように装着させることのできる基枠体２と、上半部は押圧片８を有する押圧操作部９となし、中間部は前記環状の周側枠を抱え込むことができ且つ前記片持ち軸に枢着できる枢着部１１を有する揺動基部１２となし、下半部は滴下ノズルが嵌合し得るキャップ形状の凹部１３を有する開閉下脚部１４を形成し、その下には外側に反り返るように形成された瞼当て部１５を設けてなる左右一対の揺動部材３と、一対の発条４とからなる目薬点眼補助具。【選択図】図１
2007215962.tif 000002
【特許請求の範囲】
【請求項１】
容器の口頸部に滴下ノズルを設けてある目薬容器と、
環状に形成した周側枠の外周前後方向に片持ち軸を突設するとともに、目薬容器を倒立姿勢で支持しその下向きの滴下ノズルが環状の周側枠の内側を貫通するように装着させることのできる目薬容器装着部を備えてなる基枠体と、
上半部は押圧片を有する押圧操作部となし、中間部は前記環状の周側枠を抱え込むことが抱え込むことができ且つ前記片持ち軸に枢着できる枢着部を有する揺動基部となし、下半部は滴下ノズルが嵌合し得るキャップ形状の凹部を有する開閉下脚部を形成し、その下端部には外側に反り返るように形成された瞼当て部を設けてなる左右一対の揺動部材と、一対の発条とからなり、
前記基枠体の目薬容器装着部に目薬容器を倒立姿勢に装着するとともに、当該基枠体を左右一対の揺動部材の揺動基部に抱え込むことがするとともに、当該基枠体の片持ち軸に揺動部材の枢着部を枢着して揺動自在となし、左右一対の揺動部材の開閉下脚部間に発条を連結して、平時は左右一対の揺動部材における開閉下脚部が閉成して目薬容器の滴下ノズルにキャップをしている状態になっており、左右一対の押圧操作部に押圧力を負荷すると前記発条の付勢力に抗して左右一対の揺動部材が揺動して、下半部の開閉下脚部と瞼当て部を開いた状態にすることが出来ることを特徴とする目薬点眼補助具。
【請求項２】
請求項１に記載する前記基枠体が、円形状の環状に形成した周側枠にして、その外周の前後方向に片持ち軸を突設するとともに、当該周側枠の内孔に目薬容器の口頸部が係止若しくは嵌合又は螺合し得る目薬容器装着部が設けられているようにしたことを特徴とする請求項１に記載する目薬点眼補助具。
【請求項３】
請求項１に記載する前記基枠体が、区形状の環状に形成した周側枠にして、その外周の前後方向に片持ち軸を突設するとともに、当該周側枠の上部に目薬容器収納部を形成して目薬容器装着部が設けられているようにしたことを特徴とする請求項１に記載する目薬点眼補助具。
【請求項４】
請求項１に記載する前記瞼当て部は、揺動部材の開閉下脚部の下端部に着脱自在に装着するようにしたことを特徴とする請求項１に記載する目薬点眼補助具。
【発明の詳細な説明】
【技術分野】
【０００１】
本発明は、目薬を目薬容器から点眼する際に、容易に且つ正確に滴下できるようにする目薬点眼補助具に関する。
【背景技術】
【０００２】
従来より、目薬容器は、その口頸部に滴下ノズルを設けてあり、目薬が任意に滴下し得るようにするものが一般的である。この目薬容器を使って目薬を点眼する場合には、この目薬容器を倒立姿勢にして眼の上方に掲げ、眼をねらって薬液を滴下するのが普通である。この時、目薬容器を自ら眼の真上に持ってくることが難しいうえ、正確に眼の位置をねらって薬液を滴下するのは更に難しい。しかも眼と目薬容器との間隔を自らの視覚で確認することができず、自由に動く手の感覚だけで行うことになるので危険でもある。そのため、目薬の点眼補助具については、各方面で開発されてきた。例えば、実開昭６２−７２６５３号、実開平５−１８５３４号、特開２００２−２４８１５７号などがそれである。これらの従来例は、いずれも点眼補助具に目薬容器を倒立状態に装着し、当該点眼補助具の下端部を瞼部分に接触させることにより、目と目薬容器との間隔を固定的に保持するようにして、確実に目薬を点眼をできるようにした補助具である。
【発明の開示】
【発明が解決しようとする課題】
【０００３】
前記のような従来の点眼補助具を一般の人が目薬液を点眼しようとすると、滴下直前に瞼を閉じてしまう人も多く、そのために目薬液を眼に的確に滴下することが難しく、目薬液の無駄も多くなる。また、目薬液の滴下ノズルは、清潔さを保つことが重要であり、そのためにキャップが用意されていて、不使用時には常に滴下ノズルに当該キャップをする必要がある。しかし、点眼作業の度に、当該キャップを外したり、付けたりすることは、かなり煩雑な作業となる。
【０００４】
また、本発明は、従来例のように、目薬の点眼時に目と目薬容器との間に適度な間隔を保持できるようにするだけでなく、目薬液を滴下する直前に強制的に瞼を開くようにして、目薬液の点眼行為をより確実に且つ安全にできるようにするとともに、目薬液の滴下を終えると自動的に目薬容器の滴下ノズルをキャップで閉成するようにして、滴下ノズルの清潔さをできるだけ保持させるようにした高機能の目薬点眼補助具を提供せんとするものである。
【課題を解決するための手段】
【０００５】
特許を受けようとする第１発明は、容器の口頸部に滴下ノズルを設けてある目薬容器と、環状に形成した周側枠の外周前後方向に片持ち軸を突設するとともに、目薬容器を倒立姿勢で支持しその下向きの滴下ノズルが環状の周側枠の内側を貫通するように装着させることのできる目薬容器装着部を備えてなる基枠体と、上半部は押圧片を有する押圧操作部となし、中間部は前記環状の周側枠を抱え込むことができ且つ前記片持ち軸に枢着できる枢着部を有する揺動基部となし、下半部は滴下ノズルが嵌合し得るキャップ形状の凹部を有する開閉下脚部を形成し、その下には外側に反り返るように形成された瞼当て部を設けてなる左右一対の揺動部材と、一対の発条とからなる。そして前記基枠体の目薬容器装着部に目薬容器を倒立姿勢に装着するとともに、当該基枠体を左右一対の揺動部材の揺動基部に抱え込むとともに、当該基枠体の片持ち軸に揺動部材の枢着部を枢着して揺動自在となす。更に、左右一対の当該揺動部材の開閉下脚部間に発条を連結して、平時は左右一対の揺動部材における開閉下脚部が閉成して目薬容器の滴下ノズルにキャップをしている状態になるようにし、左右一対の押圧操作部に押圧力を負荷すると前記発条の付勢力に抗して左右一対の揺動部材が揺動して、下半部の開閉下脚部と瞼当て部を開いた状態にすることが出来ることを特徴とする目薬点眼補助具である。
【０００６】
特許を受けようとする第２発明は、第１発明に記載する前記基枠体を円形状の環状に形成した周側枠にして、その外周の前後方向に片持ち軸を突設するとともに、当該周側枠の内孔に目薬容器の口頸部が係止若しくは嵌合又は螺合し得る目薬容器装着部が設けられているようにしたことを特徴とする目薬点眼補助具である。
【０００７】
特許を受けようとする第３発明は、第１発明に記載する前記基枠体を、区形状の環状に形成した周側枠にして、その外周の前後方向に片持ち軸を突設するとともに、当該周側枠の上部に目薬容器収納部を形成して目薬容器装着部が設けられているようにしたことを特徴とする目薬点眼補助具である。
【０００８】
特許を受けようとする第４発明は、請求項１に記載する前記瞼当て部を、揺動部材の開閉下脚部の下端部に着脱自在に装着したことを特徴とする請求項１に記載する目薬点眼補助具である。
【０００９】
当該第４発明は、瞼当て部を、揺動部材の開閉下脚部の下端部に着脱自在に装着したことにより、簡単に取り替え得るようにしたものである。その大きさを必要に応じて変えたり、形状や模様を任意に変えることができるようにしたものである。例えば、子供は、目薬を注すのを嫌う傾向があるが、この瞼当て部を子供の好きな楽しいキャラクターデザインに形成することによって、容易に目薬を注すことができるなどの効果がある。
【００１０】
本発明は、上記のように構成してあるので、この目薬点眼補助具を使用する際には、まず、目薬容器を目薬容器装着部に倒立姿勢に装着したうえ顔を上向きにして眼が上向きになるようにする。その上で、本発明に係る目薬点眼補助具を顔の上方に掲げて、眼の上瞼と下瞼とに目薬点眼補助具における左右一対の揺動部材の下端部に設けた瞼当て部を当接させる。この時は、左右一対の揺動部材は発条の付勢力によって開閉下脚部が閉成し、目薬容器の滴下ノズルにキャップが付いた状態になっている。次に、目薬点眼補助具の上半部の押圧操作部を指で挟んで押圧挟持する。すると、左右一対の押圧操作部に押圧力が負荷されて前記発条の付勢力に抗して左右一対の揺動部材が揺動し、下半部の開閉下脚部と瞼当て部が開いた状態になる。この開く動きによって眼の上方位置に、眼と目薬容器との間隔を一定に保ちながら目薬液が滴下できる適度の空間を造るとともに、当接している瞼当て部の開き方向への動きにより上瞼と下瞼を強制力をもって開いた状態にする。同時に目薬容器の滴下ノズルは、開いた開閉下脚部の間に露出する状態となり、目薬液をいつでも滴下できるようになる。更に押圧操作部の押圧操作を強めると、押圧操作部の押圧片が、目薬容器の胴部を押して確実に目薬の液滴を眼の中に滴下させることが出来る。
【発明の効果】
【００１１】
叙上のように本発明の目薬点眼補助具は、その左右の瞼当て部を上向きにした眼の上瞼と下瞼に当接し、左右の押圧操作部を指で押圧挟持操作するだけで、左右開閉下脚部が揺動して開き、眼と目薬容器との間隔を一定に保ちながら目薬液が滴下できる適度の空間を造るとともに、目薬容器の滴下ノズルを露出させ、更に左右の瞼当て部が開いて当接する上瞼と下瞼とを強制的に開いた状態とする。従って、左右押圧操作部の押圧挟持操作を更に進めることにより上瞼と下瞼との間にある眼に向かって目薬液を確実に滴下することができる。しかも、押圧操作部の押圧挟持操作をやめると、発条によって左右の開閉下脚部が閉じて目薬容器の滴下ノズルに自動的にキャップを閉めた状態になり、衛生管理も充分にできるようになった。
特に、瞼当て部を、揺動部材の開閉下脚部の下端部に着脱自在に装着したことにより、簡単に取り替え得るようにし、好みにより適宜デザインを変えて、おしゃれで楽しく目薬注し行為が行われるようにすることができるようにしたものである。
【発明を実施するための最良の形態】
【００１２】
発明を実施するための最良の形態は、容器の口頸部に滴下ノズルを設けてある目薬容器と、環状に形成した周側枠の外周前後方向に片持ち軸を突設するとともに、目薬容器を倒立姿勢で支持しその下向きの滴下ノズルが環状の周側枠の内側を貫通するように装着させることのできる目薬容器装着部を備えてなる基枠体と、上半部は押圧片を有する押圧操作部となし、中間部は前記環状の周側枠を抱え込むことができ且つ前記片持ち軸に枢着できる枢着部を有する揺動基部となし、下半部は滴下ノズルが嵌合し得るキャップ形状の凹部を有する開閉下脚部を形成し、その下には外側に反り返るように形成された瞼当て部を設けてなる左右一対の揺動部材と、一対の発条とからなる。そして前記基枠体の目薬容器装着部に目薬容器を倒立姿勢に装着するとともに、当該基枠体を左右一対の揺動部材の揺動基部に抱え込むとともに、当該基枠体の片持ち軸に揺動部材の枢着部を枢着して揺動自在となす。更に、左右一対の当該揺動部材の開閉下脚部間に発条を連結して、平時は左右一対の揺動部材における開閉下脚部が閉成して目薬容器の滴下ノズルにキャップをしている状態になるようにし、左右一対の押圧操作部に押圧力を負荷すると前記発条の付勢力に抗して左右一対の揺動部材が揺動して、下半部の開閉下脚部と瞼当て部を開いた状態にすることが出来ることを特徴とする目薬点眼補助具である。
【実施例１】
【００１３】
以下、本発明に係る目薬点眼補助具を図示実施例に基づいて説明する。図１は、本発明に係る目薬点眼補助具を構成する構成部材を示す斜視図であり、図２は、当該構成部材を組み立てて本発明に係る目薬点眼補助具にした平時の状態を示す側面図であり、図３は、左右押圧操作部の押圧挟持操作をしたときの状態を示す目薬点眼補助具の側面図であり、図４は、本発明に係る目薬点眼補助具を使用して点眼作業を行っている状態を示す説明図である。また図５は、本発明に係る目薬点眼補助具を構成する構成部材の他実施例を示す斜視図であり、図６は、図５に示した構成部材を組み立てた他実施例に係る目薬点眼補助具の左右開閉下脚部を閉じた状態を示す斜視図であり、図７は、他実施例の左右押圧操作部の押圧挟持操作をして左右開閉下脚部を開いたときの状態を示す斜視図である。
【００１４】
図１は、本発明に係る目薬点眼補助具を構成する構成部材の斜視図であり、それは目薬容器１と基枠体２と左右一対の揺動部材３，３と、一対の発条４，４とからなる。
【００１５】
図中１は、目薬容器であり、これは容器胴部１ａと口頸部１ｂと滴下ノズル１ｃとから構成されている。
【００１６】
図中２は、基枠体であり、それは環状に形成した周側枠５と、その外周の前後方向には一対の片持ち軸６，６が突設されており、更に周側枠５の内孔に目薬容器１の口頸部１ｂが係止若しくは嵌合又は螺合し得る目薬容器装着部７を備えている。即ち当該目薬容器装着部５を用いると、目薬容器１の口頸部１ｂを係止若しくは嵌合又は螺合して目薬容器１を倒立姿勢で支持し，その下向きの滴下ノズル１ｃが環状の周側枠３の内側を貫通するように装着させることができる。
【００１７】
図中３，３は左右一対の揺動部材である。当該揺動部材３は、上半部に押圧操作部９が形成されており、中間部には揺動基部１２が形成されており、下半部には開閉下脚部１４と瞼当て部１５とが形成されている。当該揺動部材３の上半部は押圧片８を有する押圧操作部９が形成されている。また当該揺動部材３の中間部は前記環状の周側枠５を抱え込むことができる抱え込み腕１０と、前記片持ち軸６，６に枢着できる枢着部１１とで構成された揺動基部１２となす。更に当該揺動部材３の下半部は滴下ノズル１ｃが嵌合し得るキャップ形状の凹部１３を有する開閉下脚部１４を形成するとともに、その下には外側に反り返るように形成された瞼当て部１５が設けられている。当該瞼当て部１５は、着脱自在な差込式にして着脱自在となし、瞼当て部１５の形状を種々のキャラクター形状や飾り形状にして、子供達でも楽しみながら目薬の点眼できるようにすることが望ましい。尚、図中４は、一対の発条であり、図中１６は、開閉下脚部１４に取り付けられた当該発条４、の取り付用ピンである。
【００１８】
図２は、前記構成部材を組み立てて本発明に係る目薬点眼補助具にした時の状態を示す側面図である。それは、前記基枠体２の目薬容器装着部７に目薬容器１を倒立姿勢に装着する。当該基枠体２を左右一対の揺動部材３、３の揺動基部１２に抱え込むとともに、当該基枠体２の片持ち軸６，６に揺動部材３の枢着部１１を枢着して揺動自在となす。更に、左右一対の当該揺動部材３，３の開閉下脚部１４，１４の間に発条４，４を連結して、平時は左右一対の揺動部材３，３における開閉下脚部１４，１４が閉成して目薬容器１の滴下ノズル１ｃにキャップをしている状態になるようにする。
【００１９】
図３は、左右押圧操作部の押圧挟持操作をしたときの状態を示す目薬点眼補助具の側面図である。即ち、左右一対の押圧操作部に押圧力を負荷すると前記発条の付勢力に抗して左右一対の揺動部材が揺動して、下半部の開閉下脚部と瞼当て部を開いた状態にすることが出来る。
【００２０】
図４は、本発明に係る目薬点眼補助具を使用して点眼作業を行っている状態を示す説明図である。図示のように目薬点眼補助具を使用する際には、まず、目薬容器１を目薬容器装着部７に倒立姿勢に装着したうえ、顔を上向きにして眼が上向きになるようにし、その上方に本発明に係る目薬点眼補助具を掲げて、眼の上瞼と下瞼とに目薬点眼補助具における左右一対の揺動部材３，３の下端部に設けた瞼当て部を当接させる。そのうえで図４に示したように目薬点眼補助具の上半部の押圧操作部９，９を指で挟んで押圧挟持する。すると、左右一対の押圧操作部９，９に押圧力が負荷されて前記発条４の付勢力に抗して左右一対の揺動部材３，３が揺動し、下半部の開閉下脚部１４，１４と瞼当て部１５，１５が開いた状態になる。この開く動きによって眼の上方位置に、眼と目薬容器１との間隔を一定に保ちながら目薬液が滴下できる適度の空間を造るとともに、当接している瞼当て部１５，１５の開き方向への動きにより上瞼と下瞼を強制力をもって開いた状態にする。同時に目薬容器１の滴下ノズル１ｃは、開いた開閉下脚部１４，１４の間に露出する状態となり、目薬液をいつでも滴下できるようになる。更に押圧操作部９，９の押圧操作を強めると、押圧操作部９，９の押圧片８，８が、目薬容器１の胴部を押して確実に目薬の液滴を眼の中に滴下させることが出来る。
【実施例２】
【００２１】
図５乃至図７は、本発明に係る目薬点眼補助具他実施例を示す斜視図である。
図５は、目薬点眼補助具の他実施例を示す構成部材の斜視図であり、それは目薬容器１と、基枠体２と、左右一対の揺動部材３，３と、一対の発条４，４とからなる。
【００２２】
本実施例の目薬容器１は、容器胴部１ａが薄型の角ビンであり、その口頸部１ｂに滴下ノズル１ｃが形成されている。本実施例の基枠体２は、周側枠５が矩形上の環状に形成されており、その外周の前後方向には一対の片持ち軸６，６が突設されている。更に周側枠５の上部には、目薬容器１が嵌合できるような目薬容器収納部１７を形成した目薬容器装着部７が設けられている。即ち当該目薬容器装着部７を用いると、目薬容器１の口頸部１ｂを係止若しくは嵌合又は螺合して目薬容器１を倒立姿勢で支持し，その下向きの滴下ノズル１ｃが環状の周側枠３の内側を貫通するように装着させることができる。
【００２３】
図中３，３は左右一対の揺動部材である。当該揺動部材３は、上半部に押圧操作部９が形成されており、中間部には揺動基部１２が形成されており、下半部には開閉下脚部１４と瞼当て部１５とが形成されている。当該揺動部材３の上半部は押圧片８を有する押圧操作部９が形成されている。また当該揺動部材３の中間部は前記環状の周側枠５を抱え込むことができる抱え込み腕１０と、前記片持ち軸６，６に枢着できる枢着部１１とで構成された揺動基部１２となす。更に当該揺動部材３の下半部は滴下ノズル１ｃが嵌合し得るキャップ形状の凹部１３を有する開閉下脚部１４を形成するとともに、その下には外側に反り返るように形成された瞼当て部１５が設けられている。尚、図中４は、一対の発条であり、図中１６は、開閉下脚部１４に取り付けられた当該発条４、の取り付用ピンである。
【００２４】
図６は、他実施例の前記構成部材を組み立てて本発明に係る目薬点眼補助具にした時の状態を示す側面図である。それは、当該基枠体２を左右一対の揺動部材３、３の揺動基部１２に抱え込むとともに、当該基枠体２の片持ち軸６，６に揺動部材３の枢着部１１を枢着して揺動自在となす。更に、左右一対の当該揺動部材３，３の開閉下脚部１４，１４の間に発条４，４を連結して、平時は左右一対の揺動部材３，３における開閉下脚部１４，１４が閉成して目薬容器１の滴下ノズル１ｃにキャップをしている状態になるようにする。
【００２５】
図７は、他実施例の左右押圧操作部の押圧挟持操作をしたときの状態を示す目薬点眼補助具の側面図である。即ち、左右一対の押圧操作部９，９に押圧力を負荷すると前記発条４の付勢力に抗して左右一対の揺動部材３，３が揺動して、下半部の開閉下脚部１４，１４と瞼当て部１５，１５を開いた状態にすることが出来る。
【００２６】
尚、実施例２の目薬点眼補助具の使い方と、その作用は、実施例１の場合と同じであるから、ここでは説明を省略する。また、実施例２の目薬点眼補助具の効果も実施例１の場合と同様である
【００２７】
図８は、他実施例に係る目薬点眼補助具の左右開閉下脚部１４，１４の下端部にデザイン化した瞼当て部を着脱自在に装着できる方式の実施例を示す斜視図である。図示実施例は、瞼当て部１５，１５を手の形にデザイン化したものであり、その上部に差し込み式の
装着孔１７，１７が穿設されている。これに対し、開閉下脚部１４，１４の下端部に装着用の差込舌片１８，１８が突設してあり、当該差込舌片１８，１８に瞼当て部１５，１５の装着孔１７，１７に差し込むことにより装着し、引き抜くことにより取り外すことができる。厨子していないが例えばキャラクターなどの多様にデザイン化した瞼当て部１５，１５を用意しておき、それを好みにより簡単に取り替えて使用することができる。
【図面の簡単な説明】
【００２８】
【図１】本発明に係る目薬点眼補助具を構成する構成部材を示す斜視図である。
【図２】当該構成部材を組み立てて本発明に係る目薬点眼補助具にした平時の状態を示す側面図である。
【図３】左右押圧操作部の押圧挟持操作をしたときの状態を示す目薬点眼補助具の側面図である。
【図４】本発明に係る目薬点眼補助具を使用して点眼作業を行っている状態を示す説明図である。
【図５】本発明に係る目薬点眼補助具を使用して点眼作業を行っている状態を示す説明図である。
【図６】図５に示した構成部材を組み立てた他実施例に係る目薬点眼補助具の左右開閉下脚部を閉じた状態を示す斜視図である。
【図７】他実施例の左右押圧操作部の押圧挟持操作をして左右開閉下脚部を開いたときの状態を示す斜視図である。
【図８】他実施例に係る目薬点眼補助具の左右開閉下脚部の下端部にデザイン化した瞼当て部を着脱自在に装着できる方式の実施例を示す斜視図であり、（イ）はデザイン化した瞼当て部を、揺動部材の開閉下脚部の下端部に装着した状態を示し、（ロ）はデザイン化した瞼当て部の装着前の状態を示す斜視図である。
【符号の説明】
【００２９】
１：目薬容器
１ａ：容器胴部
１ｂ：口頸部
１ｃ：滴下ノズル
２：基枠体
３：揺動部材
４：発条
５：周側枠
６：片持ち軸
７：目薬容器装着部
８：押圧片
９：押圧操作部
１０：抱え込み腕
１１：枢着部
１２：揺動基部
１３：キャップ形状の凹部
１４：開閉下脚部
１５：瞼当て部
１６：取り付用ピン
１７：装着孔
１８：差込舌片
【図１】
2007215962.tif 000003
【図２】
2007215962.tif 000004
【図３】
2007215962.tif 000005
【図４】
2007215962.tif 000006
【図５】
2007215962.tif 000007
【図６】
2007215962.tif 000008
【図７】
2007215962.tif 000009
【図８】
2007215962.tif 000010